(57)【要約】  フレキシブルスクリーンを支持するために用いられるサポートアセンブリは、第一本体、第二本体及びロッドアセンブリを備える。ロッドアセンブリはヒンジで互いに連結される少なくとも２つの連結ロッドを備える。ロッドアセンブリは、ロッドアセンブリの一方の一対の対角位置にそれぞれ設置された第一固定端及び第二移動端と、ロッドアセンブリの他方の一対の対角位置にそれぞれ設置された第二固定端及び第一移動端と、を備え、第一固定端は第一本体に回転可能に接続され、第二固定端は第二本体に回転可能に接続され、第一移動端は第一本体に摺動可能に接続され、第二移動端は第二本体に摺動可能に接続され、第一固定端と第一本体の回転接続箇所には回転制限構造が設置される。本願は、さらに表示装置を提供する。本願のサポートアセンブリは伸縮可能であり、且つ伸縮過程において、第一本体を第二本体に対して異なる位置に決めることができる。【選択図】図２２
2020514789.tif 000002
【特許請求の範囲】
【請求項１】
フレキシブルスクリーンを支持するために用いられるサポートアセンブリであって、
前記サポートアセンブリは、第一本体、第二本体、及び前記第一本体と前記第二本体との間に接続されたロッドアセンブリを備え、
前記ロッドアセンブリはヒンジで互いに連結される少なくとも２つの連結ロッドを備えて伸縮構造を形成し、前記ロッドアセンブリは、前記ロッドアセンブリの一方の一対の対角位置にそれぞれ設置された第一固定端及び第二移動端と、前記ロッドアセンブリの他方の一対の対角位置にそれぞれ設置された第二固定端及び第一移動端と、を備え、前記第一固定端は前記第一本体に回転可能に接続され、前記第二固定端は前記第二本体に回転可能に接続され、前記第一移動端は前記第一本体に摺動可能に接続され、前記第二移動端は前記第二本体に摺動可能に接続され、前記第一固定端と前記第一本体の回転接続箇所には回転制限構造が設置されており、
前記ロッドアセンブリの伸縮過程において、前記第一移動端及び前記第二移動端はそれぞれ前記第一本体及び前記第二本体に対してスライドし、前記第一固定端及び前記第二固定端はそれぞれ前記第一本体及び前記第二本体に対して回転し、前記回転制限構造によって、前記第一本体を前記第二本体に対して異なる位置に決めることを特徴とするサポートアセンブリ。
【請求項２】
前記回転制限構造は前記連結ロッドの一側に突出して設置された凸状環を備え、前記第一本体には穴が設けられており、前記凸状環は前記穴内に収容され、前記凸状環と前記穴の内壁との間の摩擦力は、前記ロッドアセンブリの伸縮過程における位置制限を形成することを特徴とする請求項１に記載のサポートアセンブリ。
【請求項３】
前記回転制限構造は、スリーブ及びファスナをさらに備え、
前記凸状環には複数のスロットが設けられており、前記スロットは前記凸状環の前記連結ロッドから離れた一端から前記連結ロッドに向かって延在され、隣接する２つの前記スロットの間にはタブが形成され、
前記スリーブは、テーパ状の外表面を有し、前記凸状環内に収容され且つあらゆる前記タブの内表面に当接され、
前記ファスナは前記スリーブを貫いて前記連結ロッドに締結されて、前記スリーブを前記凸状環内に固定し且つ前記タブを外側に広げることを特徴とする請求項２に記載のサポートアセンブリ。
【請求項４】
前記スリーブの外表面には少なくとも１つのリブが設置されており、前記リブと前記スロットが協働して、前記スリーブが前記凸状環に対して回転することを防止することを特徴とする請求項３に記載のサポートアセンブリ。
【請求項５】
前記ファスナはねじであり、前記ファスナは頭部及びねじロッドを備え、前記連結ロッドにはねじ穴が設けられており、前記ファスナの頭部は前記スリーブの前記連結ロッドから離れている端面に当接され、前記ファスナのねじロッドは前記ねじ穴と協働することを特徴とする請求項３に記載のサポートアセンブリ。
【請求項６】
前記第一本体は第一位置制限部及び第一ガイドロッドを備え、前記第二本体は第二位置制限部及び第二ガイドロッドを備え、前記第一固定端と前記第一位置制限部が協働して回転軸構造を形成し、前記第二固定端と前記第二位置制限部が協働して回転軸構造を形成し、前記第一移動端は前記第一ガイドロッドに摺動可能に接続され、前記第二移動端は前記第二ガイドロッドに摺動可能に接続されることを特徴とする請求項３に記載のサポートアセンブリ。
【請求項７】
前記第一本体は台座及び基板を備え、前記台座は底面及び前記底面に隣接する第一側面を備え、前記底面は前記第一位置制限部及び位置制限スロットを備え、前記第一位置制限部は軸孔形状を有し、前記第一ガイドロッドは前記位置制限スロットに取り付けられ、前記基板は前記底面に装着され、前記基板と前記台座との間にはギャップが形成され、前記ギャップは前記第一側面に開口部を形成して、前記ロッドアセンブリが前記ギャップ内に伸び込むようにすることを特徴とする請求項６に記載のサポートアセンブリ。
【請求項８】
前記基板における前記台座の底面に対向する表面には階段が設けられており、前記階段は収縮状態にある前記ロッドアセンブルと位置制限するために用いられることを特徴とする請求項７に記載のサポートアセンブリ。
【請求項９】
前記基板は、前記台座の底面に対面する頂面と、前記頂面に隣接する第二側面と、を備え、前記頂面には回避スロットが設けられており、前記回避スロットは前記第二側面に開口部を形成することを特徴とする請求項７に記載のサポートアセンブリ。
【請求項１０】
前記ロッドアセンブリの前記連結ロッドは第一連結ロッド及び第二連結ロッドを備え、前記第一連結ロッドの中心位置と前記第二連結ロッドの中心位置は接続部材によってヒンジ構造を形成し、前記ロッドアセンブリが収縮状態にあるとき、前記第一連結ロッドと前記第二連結ロッドは収縮されて前記ギャップ内に伸び込み、前記接続部材は前記回避スロットに収容されることを特徴とする請求項９に記載のサポートアセンブリ。
【請求項１１】
前記穴は前記基板に設けられており、且つ前記第一位置制限部と対向し、前記基板の穴と前記第一位置制限部は同軸であり、前記第一固定端は前記凸状環と同軸であり且つ反対側に設置された凸状軸をさらに備え、前記凸状軸は前記第一位置制限部と協働することを特徴とする請求項７に記載のサポートアセンブリ。
【請求項１２】
前記第一移動端は前記連結ロッドの一端に固定されたスライダを備え、前記スライダは前記第一ガイドロッドにスリーブされており且つ両者は滑らかに接触し、前記ロッドアセンブリの伸縮過程において、前記スライダは前記第一ガイドロッドでスライドすることを特徴とする請求項６に記載のサポートアセンブリ。
【請求項１３】
前記第二本体の前記第一本体と対向する側面には前記ロッドアセンブリを収納するために用いられるスロットが設けられており、前記第二位置制限部は前記スロット内に設置され、前記第二位置制限部はねじ穴形状を有し、前記第二本体の頂面には前記第二位置制限部と対向する貫通孔が設けられており、前記第二本体の底面には収容スロットが設けられており、前記収容スロットは前記スロットに連通され、前記第二ガイドロッドは前記収容スロットに取り付けられることを特徴とする請求項６に記載のサポートアセンブリ。
【請求項１４】
前記第二本体の頂面はリールアセンブリを取り付けるために用いられる取付部を備え、前記リールアセンブリは前記フレキシブルスクリーンを巻き取るために用いられ、前記台座の底面には回路基板を収容するために用いられる回路キャビティ及びバッテリを収容するために用いられるバッテリキャビティが設けられており、前記バッテリキャビティは前記位置制限スロットの前記第一側面から離れた側に位置し、前記回路キャビティは前記バッテリキャビティと前記第一位置制限部との間に位置することを特徴とする請求項１３に記載のサポートアセンブリ。
【請求項１５】
前記第一本体は第一押圧板をさらに備え、前記第一押圧板は前記台座の頂面に固定されており、前記フレキシブルスクリーンは前記第一押圧板と前記台座との間に挟持されていることを特徴とする請求項１４に記載のサポートアセンブリ。
【請求項１６】
前記第一本体は第一パッドをさらに備え、前記フレキシブルスクリーンを保護するために、前記第一パッドは前記第一押圧板の前記フレキシブルスクリーンに対面する表面に貼り合せることを特徴とする請求項１５に記載のサポートアセンブリ。
【請求項１７】
前記第二本体は第二押圧板を備え、前記第二押圧板は前記取付部に取り付けられ、前記フレキシブルスクリーンは前記第二押圧板と前記リールアセンブリとの間の隙間を通過することを特徴とする請求項１６に記載のサポートアセンブリ。
【請求項１８】
前記フレキシブルスクリーンと前記回路基板はＦＰＣによって電気的に接続され、前記ＦＰＣにおける前記台座の前記第一側面の表面に位置する部分は折り畳まれた状態で設置されることを特徴とする請求項１４に記載のサポートアセンブリ。
【請求項１９】
前記第一本体は、前記回路キャビティ内に設置されて、前記回路キャビティ内の回路基板と前記ギャップを隔離する遮蔽板をさらに備えることを特徴とする請求項１４に記載のサポートアセンブリ。
【請求項２０】
フレキシブルスクリーン及び請求項１〜１９のいずれか一項に記載のサポートアセンブリを備え、前記フレキシブルスクリーンの寸法の調整は、前記サポートアセンブリの前記第一本体と前記第二本体との間の距離変化によって達成されることを特徴とする表示装置。
【発明の詳細な説明】
【技術分野】
【０００１】
本願は、携帯端末のフレキシブルスクリーンを有する表示装置に関するものであり、特に表示装置におけるフレキシブルスクリーンを支持するために用いられるサポートアセンブリに関するものである。
【背景技術】
【０００２】
携帯端末（例えば、ウェアラブルスマート製品）の発展及び応用がますます広くなることに伴って、ユーザーの要求、例えば、便利に携帯するために寸法の小型化要求、便利に視聴するために大画面に対する要求なども増えつつある。既存の携帯端末の表示装置は、通常、表示画面の寸法が固定されており、表示画面寸法の設計に関して、寸法が大きい場合、携帯端末の小型化に不利であり、便利に携帯する要求を満たすことができなく、寸法が小さい場合、大画面の視聴要件を満たすことができない。
【０００３】
寸法を小型化するとともに、視聴画面を拡大する要求を満たすことができる表示装置をどのように設計するかは、業界で絶えずに研究される課題である。
【発明の概要】
【０００４】
本願の実施形態が解決しようとする技術的問題は、表示装置に応用されるサポートアセンブリを提供することである。サポートアセンブリは、表示装置のフレキシブルスクリーンを支持するために用いられる。サポートアセンブリは伸縮することができ、寸法小型化要求を満たすことができるだけではなく、スクリーンの寸法を拡大することもできる。
【０００５】
一態様では、本願は、フレキシブルスクリーンを支持するために用いられるサポートアセンブリを提供し、第一本体、第二本体、及び第一本体と第二本体との間に接続されたロッドアセンブリを備え、
ロッドアセンブリはヒンジで互いに連結される少なくとも２つの連結ロッドを備えて伸縮構造を形成し、ロッドアセンブリは、ロッドアセンブリの一方の一対の対角位置にそれぞれ設置された第一固定端及び第二移動端と、ロッドアセンブリの他方の一対の対角位置にそれぞれ設置された第二固定端及び第一移動端と、を備え、第一固定端は第一本体に回転可能に接続され、第二固定端は第二本体に回転可能に接続され、第一移動端は第一本体に摺動可能に接続され、第二移動端は第二本体に摺動可能に接続され、第一固定端と第一本体の回転接続箇所には回転制限構造が設置されており、
ロッドアセンブリの伸縮過程において、第一移動端及び第二移動端はそれぞれ第一本体及び第二本体に対してスライドし、第一固定端及び第二固定端はそれぞれ第一本体及び第二本体に対して回転し、回転制限構造によって、第一本体を第二本体に対して異なる位置に決める。
【０００６】
他の態様では、本願はさらに表示装置を提供し、フレキシブルスクリーン及び前記サポートアセンブリを備え、フレキシブルスクリーンの表示寸法の調整は、サポートアセンブリの第一本体と第二本体との間の距離変化によって達成される。
【０００７】
本願のサポートアセンブリは表示装置に応用され、ロッドアセンブリの伸縮によって第一本体と第二本体との間の距離変化を実現し、それによってサポートアセンブリの上に設置されたフレキシブルスクリーンのディスプレイインターフェースの寸法を調整し、寸法を小型化するとともに、視聴画面を拡大する要求を満たすことができ、且つ回転制限構造によって、第一本体を第二本体に対して異なる位置に決めることができる。
【図面の簡単な説明】
【０００８】
以下、本願の実施形態又は従来の技術に係る技術的方案をより明確に説明するために、本願の実施形態の説明に使用される図面について簡単に説明する。明らかに、以下説明される図面は、本願の一部の実施形態だけのものであり、当業者であれば、これらの図面から創造的な努力なしに他の図面を得ることができる。
【図１】図１は、本願の一実施形態に係わる表示装置が収縮状態にあることを示す概略図である。
【図２】図２は、図１に示された表示装置の他の方向の概略図である。
【図３】図３は、本願の一実施形態に係わる表示装置が伸展状態にあることを示す概略図である。
【図４】図４は、図３に示された表示装置の他の方向の概略図である。
【図５】図５は、本願の一実施形態に係わる表示装置の分解図でり、その中にフレキシブルスクリーンを含まない。
【図６】図６は、図５の第一本体部分の分解図である。
【図７】図７は、図５の第一本体の第一外側ケーシングの概略図である。
【図８】図８は、本願の一実施形態に係わるサポートアセンブリの第一本体の台座の概略図であり、その中において、第一ガイドロッドは台座の外部に分解されている。
【図９】図９は、本願の一実施形態に係わるサポートアセンブリの第一本体の基板とロッドアセンブリを分解して示す概略図。
【図１０】図１０は、本願の一実施形態に係わるサポートアセンブリの第一本体の基板、台座及び第一プレッシャープレートを組み立てた後の概略図である。
【図１１】図１１は、本願の一実施形態に係わるサポートアセンブリの第二本体の概略図であり、その中において、リールアセンブリは第二本体に取り付けられている。
【図１２】図１２は、図１１に示された第二本体の台座の概略図である。
【図１３】図１３は、図１２に示された台座の他の方向の概略図であり、その中において、第二ガイドロッドは台座の外部に分解されている。
【図１４】図１４は、図１１に示された第二本体の他の方向の概略図である。
【図１５】図１５は、本願の一実施形態に係わるサポートアセンブリのロッドアセンブリと第一ガイドロッド、第二ガイドロッドとが展開状態で協働することを示す概略図である。
【図１６】図１６は、図１５の他の方向の概略図である。
【図１７】図１７は、本願の一実施形態に係わるサポートアセンブリのロッドアセンブリと第一本体が協働することを示す概略図である。
【図１８】図１８は、本願の一実施形態に係わるサポートアセンブリの第一連結ロッドが第一本体及び第二本体と協働することを示す概略図である。
【図１９】図１９は、図１８の他の方向の概略図である。
【図２０】図２０は、本願の一実施形態に係わるサポートアセンブリの第二連結ロッドが第一本体及び第二本体と協働することを示す概略図である。
【図２１】図２１は、本願の一実施形態に係わるサポートアセンブリのロッドアセンブリと第一本体とが協働することを示す概略図である。
【図２２】図２２は、図２１の他の方向の概略図である。
【図２３】図２３は、本願の一実施形態に係わるサポートアセンブリのロッドアセンブリと第一ガイドロッド、第二ガイドロッドとが収縮状態で協働することを示す概略図である。
【図２４】図２４は、本願の一実施形態に係わるサポートアセンブリの回転制限構造を示す概略図である。
【図２５】図２５は、図２４に示された回転制限構造の組立断面図である。
【図２６】図２６は、本願の一実施形態に係わるサポートアセンブリの回転制限構造が第一本体の基板に取り付けられたことを示す概略図である。
【図２７】図２７は、本願の表示装置の断面図である。
【図２８】図２８は、本願の一実施形態に係わる表示装置のリールアセンブリの分解図である。
【図２９】図２９は、本願の一実施形態に係わるリールアセンブリのシャフトの部分概略図である。
【図３０】図３０は、本願の一実施形態に係わるリールアセンブリのシャフトの部分概略図である。
【図３１】図３１は、本願の一実施形態に係わるリールアセンブリのシャフトの部分概略図である。
【図３２】図３２は、本願の一実施形態に係わるリールアセンブリの第一エンドカバーの概略図である。
【図３３】図３３は、本願の一実施形態に係わるリールアセンブリの第二エンドカバーの概略図である。
【図３４】図３４は、本願の一実施形態に係わるリールアセンブリのリールの部分概略図。
【図３５】図３５は、本願の一実施形態に係わるリールアセンブリが第二本体に取り付けられたことを示す部分概略図である。
【図３６】図３６は、本願の一実施形態に係わるリールアセンブリが第二本体に取り付けられたことを示す部分概略図である。
【図３７】図３７は、本願の一実施形態に係わるリールアセンブリが第二本体に取り付けられたことを示す部分概略図である。
【図３８】図３８は、本願の一実施形態に係わるサポートアセンブリの第二本体にリールアセンブリが取り付けられたことを示す部分概略図である。
【図３９】図３９は、本願の一実施形態に係わるサポートアセンブリの電子部品、ブラケット、接続シート、ボタンの分解図である。
【図４０】図４０は、本願の一実施形態に係わるサポートアセンブリの台座に電子部品が取り付けられたことを示す部分概略図である。
【図４１】図４１は、図３９に示された構造部材の他の方向の概略図である。
【図４２】図４２は、図３９に示された電子部品、ブラケット及び接続シートが台座に組み立てられたことを示す概略図である。
【図４３】図４３は、図３９に示された電子部品、ブラケット、接続シート、ボタンが台座及び第一外側ケーシングに組み立てられたことを示す概略図である。
【図４４】図４４は、図３９に示された電子部品、ブラケット、接続シート、ボタンが第一外側ケーシングに組み立てられ、且つ台座に組み立てられなかったことを示す概略図である。
【図４５】図４５は、本願の一実施形態に係わる表示装置の部分分解図である。
【図４６】図４６は、図４５に示された表示装置の部分断面図である。
【発明を実施するための形態】
【０００９】
以下に、本願の実施形態の添付の図面を参照しながら、本願の実施形態の技術的手段を明確且つ完全に説明する。明らかに、説明される実施形態は、本願の一部の実施形態だけのものであり、全ての実施形態ではない。本明細書に記載された実施形態に基づいて、当業者が創造的な努力なしに得ることができるすべての別の実施形態は、皆本願の範囲に属する。  
【００１０】
本願の明細書、特許請求の範囲及び添付の図面における「第一」、「第二」、「第三」、「第四」などの用語（存在する場合）は、類似した対象を区別するために用いられ、必ず特定の順序又は前後順位を記述するために用いられるものではない。
【００１１】
本願は、携帯端末の表示装置に関するものであり、表示装置は伸縮機能を有する。図１及び図２は収縮状態にある表示装置を示し、図３及び図４は伸展状態にある表示装置を示す。表示装置は、フレキシブルスクリーン５０を支持するために用いられるサポートアセンブリ１００と、フレキシブルスクリーン５０を巻き取るために用いられるリールアセンブリと、を備える。図１〜図４に示された表示装置において、リールアセンブリはサポートアセンブリ１００の内部に隠れている。
【００１２】
サポートアセンブリ１００は、互いに対向して設置された第一本体１０及び第二本体２０と、第一本体１０と第二本体２０との間に接続されたロッドアセンブリ３０と、を備える。ロッドアセンブリ３０は、ヒンジで互いに連結される少なくとも２つの連結ロッドを備え、従って伸縮構造を形成して、第一本体１０と第二本体２０が互いに集結されるか又は展開されるようにする。第一本体１０はフレキシブルスクリーン５０の一端を固定するために用いられ、第二本体２０の内部にはリールアセンブリが装着されており、フレキシブルスクリーン５０はリールアセンブリに巻き取られ、巻き状態から伸展状態になる過程において、フレキシブルスクリーン５０は引っ張られて、ロールアセンブリから解放される。
【００１３】
サポートアセンブリ１００は、内部構造を包む外側ケーシングを備える。具体的には、外側ケーシングは、第一本体１０の上に位置する第一外側ケーシング１１と、第二本体２０の上に位置する第二外側ケーシング２１と、を備える。第二外側ケーシング２１は窓口部２１１を備える。表示装置が収縮状態にあるとき、第二外側ケーシング２１の窓口部２１１からフレキシブルスクリーン５０のディスプレイインターフェースを見ることができる。第一外側ケーシング１１の端部には、スイッチモジュールボタン６０及び充電インターフェース７０が設置されている。
【００１４】
図５、図６及び図７を参照すると、第一本体１０は、台座１２と、基板１４と、第一押圧板１６と、を備え、台座１２、基板１４及び第一押圧板１６は積層される。基板１４と第一押圧板１６は台座１２の両側にそれぞれ設置されている。第二本体２０はベース２２を備え、リールアセンブリ２００はベース２２に取り付けられる。
【００１５】
第一外側ケーシング１１は、対向して設置された頂面１１２及び底面１１４と、頂面１１２及び底面１１４の一側に接続された側面１１３と、頂面１１２、底面１１４及び側面１１３の間に接続された前端面１１５及び後端面１１６と、を備える。頂面１１２、底面１１４、前端面１１５及び後端面１１６の間には第一開口が形成される。台座１２、基板１４及び第一押圧板１６は組み立てられてから第一開口から第一外側ケーシング１１内に配置される。第一外側ケーシング１１の前端面１１５には、スイッチモジュールボタン６０を収容するための貫通孔１１７が設けられている。第一外側ケーシング１１の後端面１１６には、充電インターフェース７０を収容するための貫通孔１１８が設けられている。具体的には、第一外側ケーシング１１の頂面１１２と側面１１３との間は円弧面遷移部を有し、第一外側ケーシング１１の底面１１４と側面１１３との間も円弧面遷移部を有する。一実施形態では、頂面１１２、側面１１３及び底面１１４は一緒にＵ字形構造を形成することもできる。
【００１６】
図５に示されたように、第二外側ケーシング２１は第一外側ケーシング１１と類似し、第二外側ケーシング２１の頂面、側面及び底面は共同に囲んでＣ字形構造を形成する。第二外側ケーシング２１の頂面と側面の接合部には窓口部２１１が設けられている。第二外側ケーシング２１の前端面及び後端面にはねじ孔を設けることができ、ねじはねじ孔を貫いて第二本体２０のベース２２に螺合する。
【００１７】
本願は、第一本体１０に第一位置制限部及び第一ガイドロッドを設置し、第二本体２０に第二位置制限部及び第二ガイドロッドを設置し、ロッドアセンブリ３０は、ロッドアセンブリ３０の一方の一対の対角位置にそれぞれ設置された第一固定端及び第二移動端と、ロッドアセンブリ３０の他方の一対の対角位置にそれぞれ設置された第二固定端及び第一移動端と、を備え、第一固定端と第一位置制限部が協働して回転軸構造を形成し、第二固定端と第二位置制限部が協働して回転軸構造を形成し、第一移動端は第一ガイドロッドに摺動可能に接続され、第二移動端は第二ガイドロッドに摺動可能に接続される。ロッドアセンブリ３０の伸縮過程において、第一移動端及び第二移動端はそれぞれ第一ガイドロッド及び第二ガイドロッドでスライドして、第一本体１０と第二本体２０との間の距離変化を実現する。第一ガイドロッド及び第二ガイドロッドはスライディング軌跡及びガイド方向を提供し、第一ガイドロッド及び第二ガイドロッドの表面は両方とも滑らかであるので、第一移動端と第一ガイドロッドとの間の摺動協働及び第二ガイドロッドと第二移動端との間の摺動協働は全て滑らかな協働であり、摩擦力による詰まり現象が発生せず、さらに配合箇所に潤滑油を追加して、ロッドアセンブリ３０の滑らかさを向上させることができる。
【００１８】
図８及び図１０を参照すると、台座１２は対向して設置された頂面１２１及び底面１２２と、底面１２２に隣接する第一側面１２３と、を備える。具体的には、台座１２の頂面１２１はフレキシブルスクリーン５０を支持するために用いられ、第一押圧板１６は台座１２の頂面１２１に固定されており、フレキシブルスクリーン５０は第一押圧板１６と台座１２との間に挟持されている。第一押圧板１６を設置したので、表示装置の伸展過程又は収縮過程において、フレキシブルスクリーン５０は台座１２の頂面１２１に平坦に貼り合せて、フレキシブルスクリーン５０の平坦度を確保することができる。勿論、第一押圧板１６を設置しなくてもよく、フレキシブルスクリーン５０を外側ケーシング（即ち第一外側ケーシング１１）と台座１２の頂面１２１との間に直接に挟むことができる。しかしながら、このような設計方式は、第一外側ケーシング１１と台座１２との間のはめ合い公差（ｆｉｔ  ｔｏｌｅｒａｎｃｅ）を確保しなければならない。
【００１９】
台座１２の底面１２２は第一位置制限部１２４及び位置制限スロット１２５を備え、第一位置制限部１２４は軸孔形状を有し、第一ガイドロッド１２６は位置制限スロットに取り付けられる。具体的には、位置制限スロット１２５は細長形状であり、位置制限スロット１２５の２つの端面にはそれぞれ収容孔１２５２、１２５４が設けられており、収容孔１２５４は台座１２の一端を貫通して台座１２の外部と連通される。第一ガイドロッド１２６は、台座１２の外部から収容孔１２５４を貫通して位置制限スロット１２５に伸び込んで他方の収容孔１２５２に挿入され、従って第一ガイドロッド１２６を位置制限スロット１２５内に取り付ける。収容孔１２５２はねじ孔であり、第一ガイドロッド１２６の一端にはねじ山が形成されている。台座１２の底面１２２にはさらに回路キャビティ１２７及びバッテリキャビティ１２８が設けられている。回路キャビティ１２７は回路基板を収容するために用いられる。バッテリキャビティ１２８はバッテリを収容するために用いられる。バッテリキャビティ１２８は、位置制限スロット１２５の第一側面１２３から離れた側に位置する。回路キャビティ１２７は、バッテリキャビティ１２８と第一位置制限部１２４との間に位置する。バッテリキャビティ１２８と回路キャビティ１２７との間にはバックル１２９が設置されている。バックル１２９には第一係合スロット１２９２が設けられており、第一位置制限部１２４の第一側面１２３から離れた側には第二係合スロット１２９４が設けられており、第一係合スロット１２９２と第二係合スロット１２９４は対向して設置され、両者は一緒に回路基板の位置を決めるために用いられる。
【００２０】
図９及び図１０を参照すると、基板１４は台座１２の底面１２２に装着され、基板１４と台座１２との間にはギャップＧが形成される。ギャップＧは第一側面１２３に開口部を形成して、ロッドアセンブリ３０がギャップＧ内に伸び込むようにする。基板１４における台座１２の底面１２２に対向する表面には階段１４２が設けられており、階段１４２は収縮状態にあるロッドアセンブル３０と位置制限するために用いられる。
【００２１】
基板１４は、台座１２の底面１２２に対面する頂面１４１と、頂面１４１に隣接する第二側面１４３と、を備える。頂面１４１には回避スロット１４４が設けられており、回避スロット１４４は第二側面１４２に開口部を形成する。
【００２２】
基板１４の第二側面１４３と台座１２の第一側面１２３は同一平面上にある。第一側面１２３及び第二側面１４１は両方とも平面である。突出柱と位置決め孔との協働により基板１４と台座１２を位置決めした後、さらにねじによって固定接続する。
【００２３】
ロッドアセンブリ３０の連結ロッドは第一連結ロッド及び第二連結ロッドを備え、第一連結ロッドの中心位置と第二連結ロッドの中心位置は接続部材によってヒンジ構造を形成する。ロッドアセンブリ３０が収縮状態にあるとき、第一連結ロッドと第二連結ロッドは収縮されてギャップＧ内に伸び込み、接続部材は回避スロット１４４に収容される。一実施形態では、接続部材はねじである。
【００２４】
図１１、図１２、図１３及び図１４を参照すると、第二本体２０はベース２２を備え、台座１２と対向するベース２２の側面にはロッドアセンブリ３０を収納するために用いられるスロット２２１が設けられている。第二位置制限部２２４はスロット２２１内に設置され、第二位置制限部２２４はねじ穴形状を有し、ベース２２の頂面には第二位置制限部２２４と対向する貫通孔２２４１が設けられている。ベース２２の底面には収容スロット２２５（図１３を参照）が設けられており、収容スロット２２５はスロット２２１に連通され、第二ガイドロッド２２６は収容スロット２２５に取り付けられる。第二ガイドロッド２２６が収容スロット２２５に取り付けられる具体的な構造は、第一ガイドロッド１２６が位置制限スロット１２５に取り付けられる具体的な構造と同じである。
【００２５】
スロット２２１の中間位置には回避スロット２２１１が設けられており、回避スロット２２１１と第一本体１０の回避スロット１４４は対向して設置される。表示装置が収縮されるとき、回避スロット２２１１と回避スロット１４４は一緒に第一連結ロッドと第二連結ロッドとの間にヒンジ接続された接続部材を収容する。
【００２６】
ベース２２の頂面はリールアセンブリ２００を取り付けるために用いられる取付部を備え、リールアセンブリ２００はフレキシブルスクリーン５０を巻き取るために用いられる。取付部は互いに対向して設置された一対の第一取付部２２２及び第二取付部２２３を備え、第一取付部２２２及び第二取付部２２３はそれぞれベース２２の対向する２つの端面に位置する。第一取付部２２２と第二取付部２２３との間には、リールアセンブリ２００を収容するために用いられる空間が形成される。一実施態様では、第一取付部２２２及び第二取付部２２３はベース２２と一体成型される。
【００２７】
第一取付部２２２には貫通孔２２２１が設けられており、第二取付部２２３には貫通孔２２３１が設けられており、貫通孔２２２１と貫通孔２２３１は同じ軸上に位置し、リールアセンブリ２００を取り付けるために用いられる。第二取付部２２３には、係止溝２２３２と内凹部２２３３が設けられている。内凹部２２３３は、第二取付部２２３の第一取付部２２２から離れた側に位置する。内凹部２２３３と係止溝２２３２との間には仕切り板２２３４が設置されており、係止溝２２３２と内凹部２２３３は全て貫通孔２２３１に連通される。
【００２８】
図１４に示されたように、ベース２２の第一本体１０と反対側の表面にはスリット２２７、２２８が設けられており、スリット２２７、２２８はスロット２２１に連通され、ロッドアセンブリを収容且つ支持するために用いられる。
【００２９】
図１５及び図１６は、ロッドアセンブリ３０と第一ガイドロッド１２６、第二ガイドロッド２２６とが協働することを示す概略図である。
【００３０】
ロッドアセンブリ３０は、ヒンジで接続された第一連結ロッド３０１及び第二連結ロッド３０２を備え、ロッドアセンブリ３０の一方の一対の対角位置にそれぞれ設置された第一固定端３１及び第二移動端３４と、ロッドアセンブリ３０の他方の一対の対角位置にそれぞれ設置された第二固定端３３及び第一移動端３２と、をさらに備え、第一固定端３１と第一位置制限部１２４が協働して回転軸構造を形成し、第二固定端３３と第二位置制限部２２４が協働して回転軸構造を形成し、第一移動端３２は第一ガイドロッド１２６に摺動可能に接続され、第二移動端３４は第二ガイドロッド２２６に摺動可能に接続される。ロッドアセンブリ３０の伸縮過程において、第一移動端３２及び第二移動端３４はそれぞれ第一ガイドロッド１２６及び第二ガイドロッド２２６でスライドして、第一本体１０と第二本体２０との間の距離変化を実現する。第一移動端３２は、第二連結ロッド３０２の一端に固定されたスライダ３２１を備え、スライダ３２１は第一ガイドロッド１２６にスリーブされており且つ両者は滑らかに接触している。ロッドアセンブリ３０の伸縮過程において、スライダ３２１は第一ガイドロッド１２６でスライドする。同様に、第二移動端３４は、第一連結ロッド３０１の一端に固定されたスライダ３４１を備え、スライダ３４１は第二ガイドロッド２２６に滑らかにスリーブされている。ロッドアセンブリ３０の伸縮過程において、スライダ３４１は第二ガイドロッド２２６でスライドする。第一連結ロッド３０１上のスライダ３４１の設置方向は、第二連結ロッド３０２上のスライダ３２１の設置方向と反対である。
【００３１】
第一連結ロッド３０１のスライダ３４１から離れている一端を第一固定端３１と設置し、第二連結ロッド３０２のスライダ３２１から離れている一端を第二固定端３３と設置する。図１７、図１８、図１９は、第一連結ロッド３０１と第一本体１０、第二本体２０とが協働することを示す概略図である。第一本体１０及び第２本体２０が互いに集結されるか又は展開される過程において、第一連結ロッド３０１は第一固定端３１を中心に第一本体１０に対して回転するとともに、第二移動端３４に位置するスライダ３４１は第二ガイドロッド２２６でスライドする。第一連結ロッド３０１と第一本体１０との間の角度は、第一本体１０と第二本体２０との間の距離変化に随って変化する。第一本体１０及び第２本体２０が互いに集結される場合、第一連結ロッド３０１と第一本体１０との間の角度は小さくなり、第一本体１０及び第２本体２０が互いに展開される場合、第一連結ロッド３０１と第一本体１０との間の角度は大きくなる。図２０、図２１、図２２は、第二連結ロッド３０２と第一本体１０、第二本体２０とが協働することを示す概略図である。第二固定端３３はねじによって第二本体２０のベース２２に取り付けられており、第一本体１０及び第２本体２０が互いに集結されるか又は展開される過程において、第一連結ロッド３０１と第二連結ロッド３０２の運動は同期である。
【００３２】
図２３を参照すると、第一連結ロッド３０１及び第二連結ロッド３０２が収縮状態にあるとき、第一ガイドロッド１２６と第一連結ロッド３０１は重なり、第二ガイドロッド２２６と第二連結ロッド３０２は重なり、第一連結ロッド３０１上のスライダ３４１は第一ガイドロッド１２６の一端に位置し、第二連結ロッド３０２上のスライダ３２１は第二ガイドロッド２２６の一端に位置する。図１５及び図１６を参照すると、第一連結ロッド３０１及び第二連結ロッド３０２が展開状態にあるとき、第一ガイドロッド１２６は第一連結ロッド３０１の外側に位置し、第一連結ロッド３０１上のスライダ３４１は第一ガイドロッド１２６の他端に位置に位置し、第二ガイドロッド２２６は第二連結ロッド３０２の外側に位置し、第二連結ロッド３０２上のスライダ３２１は第二ガイドロッド２２６の他端に位置する。
【００３３】
本願のサポートアセンブリは回転制限構造を備え、回転制限構造によって、展開又は集結過程において、第一本体１０が第二本体２０に対して異なる位置に位置決められる。
【００３４】
本実施形態において、回転制限構造は、第一固定端３１の位置に設置される。第一連結ロッドと第二連結ロッドが回転過程で位置制限され、且つ任意の位置に制限され、又は指定された幾つかの位置に制限されて、表示装置の伸縮過程の位置決めを実現することを確保できる限り、他の実施形態において、回転制限構造は、第二固定端３３の位置又は第一連結ロッドと第二連結ロッドが交差してヒンジで接続される位置に設置されてもよい。
【００３５】
図２４、図２５、図２６及び図２７を参照すると、第一固定端３１と第一本体１０の回転接続箇所には回転制限構造が設置されている。具体的には、基板１４には穴１４７が設けられており（図９及び図２７を参照してください）、穴１４７は第一位置制限部１２４と対向し、第一位置制限部１２４は軸穴構造であり、基板１４の穴１４７と第一位置制限部１２４は同軸である。第一固定端３１は、第一連結ロッド３０１の両側にそれぞれ設置され且つ同軸である凸状軸３１１及び凸状環３１２を備え、凸状軸３１１は第一位置制限部１２４と協働し、凸状環３１２は穴１４７内に収容される。凸状環３１２と穴１４７の内壁との間の摩擦力は、ロッドアセンブリ３０の伸縮過程における位置制限を形成する。即ち、ロッドアセンブリ３０の伸縮過程において、第一連結ロッド３０１は第一固定端３１を中心に回転し、第一固定端３１は第一本体１０に対してもとの位置で回転し、凸状環３１２は穴１４７内で回転する。凸状環３１２と穴１４７の内壁との間は回転過程の減衰を形成し、この減衰力は凸状環３１２と穴１４７の内壁との間の摩擦力であり、摩擦力の大きさはリールアセンブリ２００のバネの弾性回復力を相殺することができ、従って展開されたフレキシブルスクリーン５０を任意の位置に決めることができる。
【００３６】
回転制限構造はスリーブ３１３及びファスナ３１４をさらに備える。凸状環３１２には複数のスロット３１２１が設けられており、スロット３１２１は凸状環３１２の第一連結ロッド３０１から離れた一端から第一連結ロッド３０１に向かって延在され、隣接する２つのスロット３１２１の間にはタブ３１２２が形成される。スロット３１２１を有するので、タブ３１２２は半径方向で弾性変形能力を有する。スリーブ３１３は、テーパ状の外表面を有し、凸状環３１２内に収容され且つタブ３１２２の内表面に当接される。ファスナ３１４は、スリーブ３１３を貫いて第一連結ロッド３０１に締結されて、スリーブ３１３を凸状環３１２内に固定し且つタブ３１２２を外側に広げる。即ち、ファスナ３１４とスリーブ３１３の協働によって、スリーブ３１３は凸状環３１２内に向かって移動し（第一連結ロッド３０１に向かって移動する）する。スリーブ３１３はテーパ状の外表面を有するので、スリーブ３１３が移動しているところタブ３１２２を推して、タブ３１２２を外側へ拡張させ、それによって凸状環３１２と穴１４７の内壁の摩擦力を増大する。
【００３７】
スリーブ３１３の外表面には、少なくとも１つのリブ３１３２が設置されている。リブ３１３２とスロット３１２１が協働して、スリーブ３１３が凸状環３１２に対して回転することを防止し、スリーブ３１３の移動方向を確保する。スロット３１２１の深さ（即ち、スロット３１２１が凸状環３１２の軸方向に沿って延在される寸法）は、リブ３１３２の長さ（即ち、リブ３１３２が凸状環３１２の軸方向に沿って延在される寸法）よりも大きいので、スリーブ３１３が凸状環３１２に対して移動する空間を保留する。
【００３８】
ファスナ３１４はねじであり、ファスナ３１４は頭部３１４２及びねじロッド３１４４を備える。第一連結ロッド３０１にはねじ穴が設けられており、ねじ穴は第一連結ロッド３０１を貫通する。ファスナ３１４の頭部３１４２はスリーブ３１３の第一連結ロッド３０１から離れている端面に当接され、ファスナ３１４のねじロッド３１４４はねじ穴と協働する。本実施形態において、凸状軸３１１は中空構造であり、即ち凸状軸３１１には中心孔３１１２が設けられており、凸状軸３１１の中心孔３１１２と第一連結ロッド３０１のねじ穴は連通されており、且つ両者の孔径は同じであることができ、このようにファスナ３１４は凸状軸３１１の中心孔３１１２内に係止することができる。
【００３９】
一実施形態において、凸状環３１２と基板１４の穴１４７の内壁との間は接地経路の一部としてもよい。具体的には、第一連結ロッド３０１及び凸状環３１２は全て導電材料からなり、金属材料からなることができ、凸状環３１２と第一連結ロッド３０１は溶接方式又は接着方式によって固定されることができ、一体成型されてもよい。基板１４も導電材料からなり、基板１４は第一本体１０内の電気回路基板のグランドに電気的に接続されており、接地弾性シートによって電気的に接続されることができ、ワイヤによって電気的に接続されることもできる。従って凸状環３１２が穴１４７の内壁に接触することによってロッドアセンブリ３０の接地を実現する。ロッドアセンブリ３０及びベース２２を接地することにより、金属部材が表示装置内の回路に対する電磁干渉を低減することができ、例えば、表示装置内の回路基板にアンテナモジュールが設置されると、金属部品は必ずアンテナモジュールの信号送受信を干渉する。もし上記した接地設置があれば、干渉が軽減され、信号の送受信品質が向上する。
【００４０】
図２８を参照すると、本願によって提供されるリールアセンブリ２００は、伸縮可能であり且つフレキシブルスクリーン５０を支持するために用いられるサポートアセンブリ１００内に設置される。リールアセンブリ２００は、リール２０１と、第一エンドカバー２０２と、第二エンドカバー２０３と、スプリング２０４と、シャフト２０５と、を備える。シャフト２０５はサポートアセンブリ１００に固定され、スプリング２０４はシャフト２０５にスリーブされ、リール２０１はスプリング２０４の外周にスリーブされる。第一エンドカバー２０２はシャフト２０５の一端にスリーブされ且つリール２０１の一端に固定的に接続される。第二エンドカバー２０３はシャフト２０５の他端にスリーブされ且つシャフト２０５に固定的に接続され、第二エンドカバー２０３はリール２０１の他端に回転可能に接続される。スプリング２０４の両端はそれぞれ第一エンドカバー２０２及び第二エンドカバー２０３に固定される。リール２０１はフレキシブルスクリーン５０を巻き取るために用いられ、フレキシブルスクリーン５０の展開はリール２０１を回転させるように駆動する。
【００４１】
リール２０１が回転すると、第一エンドカバー２０２はリール２０１とともに回転し、第二エンドカバー２０３はリール２０１とともに回転しない。リール２０１が回転すると、スプリング２０４の一端は第一エンドカバー２０２とともに回転し、他端は第二エンドカバー２０３に対して静止したままであるので、弾性回復力を生成する。スプリング２０４はリール２０１内に収容される。リール２０１が回転すると、スプリング２０４が捩じられて弾力回復力を生成する。
【００４２】
図３２、図３４及び図３５を参照すると、突起と係合スロットの協働によって、第一エンドカバー２０２とリール２０１との間の円周方向の規制が達成される。一実施形態では、リール２０１は両端が開放された中空管状構造を有し、リール２０１の第一エンドカバー２０２と協働する一端には係合スロット２０１１が設けられており、第一エンドカバー２０２の外表面には突起２０２１が設置されている。第一エンドカバー２０２がリール２０１の一端の開口からリール２０１に挿入されるとき、突起２０２１は係合スロット２０１１に挿入されて、第一エンドカバー２０２とリール２０１を円周方向で固定接続させて、両者の間の相対回転を防止する。他の実施形態において、リール２０１の内表面に突起を設置し、第一エンドカバー２０２に係合スロットを設けてもよい。
【００４３】
第一エンドカバー２０２にはその軸方向に沿って延在される貫通孔２０２２が設けられており、シャフト２０５は貫通孔２０２２を貫く。貫通孔２０２２は第一エンドカバー２０２の中心貫通孔であり、即ち第一エンドカバー２０２の中心は貫通孔の軸心である。
【００４４】
第一エンドカバー２０２は、外径が順次小さくなる基底部２０２３と、スリーブリング２０２４と、スリーブチューブ２０２５と、を備え、第一エンドカバー２０２は階段円筒構造を有する。軸方向で基底部２０２３の寸法が最も小さく、基底部２０２３はリール２０１の一端を覆い、基底部２０２３におけるスリーブリング２０２４に対面する階段面はリール２０１の端面に対向し、基底部２０２３の外表面とリール２０１の外表面は同一平面上にある。スリーブリング２０２４はリール２０１の内表面に当接する。図３６に示されたように、突起２０２１はスリーブリング２０２４の外周に設置されており、リール２０１には係合スロット２０１１が設けられており、係合スロット２０１１はリール２０１の端面に開口部を形成して、突起２０２１がその中に挿入するようにする。図３５に示されたように、スリーブリング２０２４のスリーブチューブ２０２５に対面する階段面はスリーブチューブ２０２５にスリーブされたスプリング２０４の一端に当接するために用いられる。
【００４５】
スリーブチューブ２０２５におけるスリーブリング２０２４に隣接する位置には、スプリング２０４を固定するための固定孔２０２６が設けられている。
【００４６】
図３３及び図３７を参照すると、第二エンドカバー２０３にはその軸方向に沿って延在される貫通孔２０３１が設けられており、シャフト２０５は貫通孔２０３１を貫く。第二エンドカバー２０３は、外径が順次小さくなる基底部２０３２と、スリーブリング２０３３と、スリーブチューブ２０３４と、を備える。スリーブリング２０３３はリール２０１の内表面に当接して、回転軸構造を形成する。基底部２０３２におけるスリーブリング２０３３に対面する階段面はリール２０１の端面に対向し、基底部２０３２の外径とリール２０１の外径は同じであり、即ち基底部２０３２の外表面とリール２０１の外表面は同一平面上にある。第一エンドカバー２０２と第二エンドカバー２０３がリール２０１の両端に取り付けられた後、両者の外表面は統合された円筒形構造を形成する。スリーブリング２０３３のスリーブチューブ２０３４に対面する階段面はスリーブチューブ２０３４にスリーブされたスプリング２０４の一端に当接するために用いられる。貫通孔２０３１の内側面は位置制限表面２０３５を備え、位置制限表面２０３５とシャフト２０５が協働して、第二エンドカバー２０３をシャフト２０５に円周方向で固定する。
【００４７】
スリーブチューブ２０３４は、スリーブリング２０３３から離れている一端に位置するスリーブチューブ端面と、スリーブチューブ端面とスリーブリング２０３３との間に接続されたスリーブチューブ側面と、を備え、スリーブチューブ側面には固定孔２０３６及びガイドスロット２０３７が設けられている。固定孔２０３６はスプリング２０４を固定するために用いられる。ガイドスロット２０３７は、固定孔２０３６からスリーブチューブ端面とスリーブチューブ側面の交差点まで延在される。
【００４８】
取付過程において、先ず、シャフト２０５を第一エンドカバー２０２に貫かせてから、スプリング２０４をシャフト２０５の上にスリーブして、スプリング２０４の一端は第一エンドカバー２０２のスリーブチューブ２０２５にスリーブされ、それからリール２０１をスプリング２０４の外周にスリーブして、リール２０１の一端は第一エンドカバー２０２と結合され、第一エンドカバー２０２の突起２０２１はリール２０１の係合スロット２０１１に係合する。次に、第二エンドカバー２０３をリール２０１の他端に取り付ける。第二エンドカバー２０３を取り付ける過程において、先ず第二エンドカバー２０３のガイドスロット２０３７をスプリング２０４の一端に位置合わせて、取付過程において、スプリング２０４の一端がガイドスロット２０３７内で移動することにする。スプリング２０４の一端が移動して第二エンドカバー２０３の固定孔２０３６に位置合わせると、スプリング２０４の一端は自動的に固定孔２０３６内に係合し、従って第二エンドカバー２０３の組立が完了する。
【００４９】
サポートアセンブリ１００は対向して設置された第一取付部２２２及び第二取付部２２３を備え、スプリング２０４、第一エンドカバー２０２、リール２０１及び第二エンドカバー２０３は、第一取付部２２２と第二取付部２２３との間に設置される。シャフト２０５は、第一取付部２２２、第一エンドカバー２０２、スプリング２０４及びリール２０１、第二エンドカバー２０３を順次に貫いてから、第二取付部２２３に固定される。
【００５０】
図２９、図３０及び図３１を参照すると、シャフト２０５は、ロッド部材２０５１と、ロッド部材２０５１の一端に設置されたヘッド端部２０５２と、を備える。ロッド部材２０５１のヘッド端部２０５２から離れた一端は固定端部２０５３である。ヘッド端部２０５２は第一取付部２２２における第二取付部２２３側の反対側に位置制限されており、固定端部２０５３は第二取付部２２３に固定的に接続されている。ヘッド端部２０５２におけるロッド部材２０５１側の反対端面には帯状溝２０５２１が設けられており、係止具と協働して使用するために用いられる。固定端部２０５３には環状溝２０５３１が設けられており、環状溝２０５３１はバックルシート２０６と協働して、シャフト２０５の軸方向の位置決めを実現し、シャフト２０５がサポートアセンブリ１００から脱落されることを防止する。固定端部２０５３には、ノッチ２０５３２とスロット２０５３３が設けられている。ノッチ２０５３２とスロット２０５３３は、固定端部２０５３の径方向の両側に設けられている。ノッチ２０５３２の底面は第一停止面Ｐ１を形成し、スロット２０５３３の底面は第二停止面Ｐ２を形成し、第一停止面Ｐ１と第二停止面Ｐ２は平行する。
【００５１】
第二エンドカバー２０３の軸方向で延在された貫通孔２０３１内の位置制限表面２０３５は第二停止面Ｐ２と協働して、第二エンドカバー２０３を円周方向でシャフト２０５に固定するために用いられる。
【００５２】
図３８を参照すると、リールアセンブリは、バックル２０７及びバックルシート２０６をさらに備える。バックル２０７は、一対の締結ピン２０７１を有する。一対の締結ピン２０７１は、ノッチ２０５３２及びスロット２０５３３とそれぞれ協働して、シャフト２０５の周方向の位置決めを実現する。第二取付部２２３には係止溝２２３２と内凹部２２３３が設けられており、内凹部２２３３は第二取付部２２３の第一取付部２２２から離れた側に位置し、内凹部２２３３と係止溝２２３２との間には仕切り板２２３４が設置されている。第二取付部２２３にはシャフト２０５の軸方向に沿って延在される貫通孔２２３１が設けられており、係止溝２２３２と内凹部２２３３は全て貫通孔２２３１と連通される。バックル２０７は係止溝２２３２に収容されてシャフト２０５のノッチ２０５３２及びスロット２０５３３と協働する。バックルシート２０６は内凹部２２３３に収容されてシャフト２０５の環状溝２０５３１と協働する。
【００５３】
フレキシブルスクリーン５０を展開してリール２０１を回転させると、シャフト２０５は静止したままであり、第一エンカバー２０２はリール２０１とともに回転し、第二エンドカバー２０３は静止したままであり、スプリング２０４の第一エンカバー２０２に固定された一端はリール２０１とともに回転するが、スプリング２０４の第二エンドカバー２０３に固定された他端は静止したままであるので、スプリング２０４は捩れて弾性変形し、リール２０１を引き戻すための弾性回復力が生成される。
【００５４】
回転制限構造の制限のため、ユーザーが手動で第一本体１０と第二本体２０が相対的に接近するように推力を印加しない限り、リール２０１は自動的にリバウンドすることはできない。このとき、回転制限構造の摩擦力がユーザーの推力によって相殺され、スプリング２０４によって生成された弾性回復力はリール２０１及びフレキシブルスクリーン５０を巻き上げるように駆動する。ユーザーが手を放すと、スプリング２０４及びリール２０１の回転の慣性により、回転制限構造の抵抗を克服して、リール２０１は完全に巻かれるまで回転し続ける。
【００５５】
スプリング２０４の締め具合を調整することを必要とする場合、手動でバックル２０７を係止溝２２３２から取り出すことができ、次にシャフト２０５のヘッド端部をドライバーで回転させてシャフト２０５を回転させる。第二エンドカバー２０３の位置制限表面２０３５とシャフト２０５の第二停止面Ｐ２との間の合わせ面が当接するので、シャフト２０５は第二エンドカバー２０３が回転するように駆動し、さらに第二エンドカバー２０３に固定されたスプリング２０４の他端が回転するように駆動する。このとき、第一エンドカバー２０２はフレキシブルスクリーン５０に引っ張れて静止したままであり、スプリング２０４の第一エンドカバー２０２に固定された一端も静止したままである。スプリング２０４の一端は移動するが他端は移動しないので、スプリング２０４の締め具合が変化する。調整が完了した後、再びバックル２０７を係止溝２２３２に挿入してシャフト２０５を改めて位置決めする。注意しなければならないことは、スプリング２０４の締め具合は半回転の整数倍方式のみで調整可能であり、そうでなければ、調整後にシャフト２０５の第一停止面Ｐ１及び第二停止面Ｐ２が垂直位置に位置しなければ、バックル２０７の位置決め溝はシャフト２０５の第一停止面Ｐ１及び第二停止面Ｐ２にスムーズに当接することはできない。
【００５６】
図６に示されたように、本願によって提供される表示装置のサポートアセンブリ１００は、スイッチモジュールボタン６０及び充電コネクタ７０のような電子部品を備える。一実施形態では、本願は、電子部品を接続シートと共にブラケットに取り付けてアセンブリを形成してから、再びアセンブリを台座１２に取り付ける。
【００５７】
本願は、電子部品が設置された外側ケーシングと、ディスプレイスクリーンを支持するために用いられるサポートアセンブリと、を備える表示装置を提供し、サポートアセンブリは台座及び接続シートを備える。台座の内部にはディスプレイスクリーンに電気的に接続された回路基板が設置されており、台座の一側には回路基板に電気的に接続された導電シートが設置されている。接続シートは、電子部品に電気的に接続された当接シートと、当接シートから延びる支持シートと、を備え、接続シートは外側ケーシングに固定されており、支持シートはエジェクタピンによって導電シートに当接されて電気的接続を実現する。詳しい内容は以下の通りである。
【００５８】
具体的には、図４０を参照すると、台座１２は、隣接する頂面１２０１、側面１２０２及び端面１２０３を備え、頂面１２０１はディスプレイスクリーンを支持するために用いられる（一実施形態では、ディスプレイスクリーンはフレキシブルスクリーンである）。端面１２０３には凹部１２０４が設けられており、側面１２０４には凹部１２０４に隣接し且つ互いに連通する貫通溝１２０５が設けられており、貫通溝１２０５は台座１２内部の収容空間に連通されている。サポートアセンブリ１００内部の回路基板に電気的に接続された導電シート１２０６が貫通溝１２０５内に設置されている。回路基板は、台座１２内の収容空間に設置されている。側面１２０２と台座１２の第一側面１２３は対向する表面であり、本実施形態における側面１２０２は、台座１２の第二本体２０から離れた表面を指す。
【００５９】
図３９、図４１及び図４２において、一例としてスイッチモジュールボタン６０を挙げる。サポートアセンブリは、ブラケット６１と、接続シート６２と、電子部品６３と、ボタン６４と、を備える。ブラケット６１は、頂面及び底面を有する固定板６１２を備え、固定板６１２は凹部１２０４に装着される。一実施形態では、ブラケット６１は略Ｌ字形であり、ブラケット６１は固定板６１２の底面の辺縁から突出して延在されるバッフル６１４をさらに備え、バッフル６１４は貫通溝１２０５を覆う。
【００６０】
接続シート６２は、当接シート６２２と、当接シート６２２の辺縁から湾曲延在される支持シート６２４と、を備える。接続シート６２は固定板６１２を貫き、当接シート６２２は固定板６１２の頂面に固定され、支持シート６２４は固定板６１２の底面の一側に位置し、支持シート６２４は貫通溝１２０５内に設置され且つエジェクタピン６２３によって導電シート１２０６に電気的に接続される。本実施形態において、エジェクタピン６２３は支持シート６２４に固定されている。支持シート６２４は、バッフル６１４の貫通溝に向かう側に位置する。
【００６１】
電子部品６３は、凹部１２０４内に設置され且つ当接シート６２２に電気的に接続される。具体的には、電子部品６３には突出柱６３２が設置されており、突出柱６３２の表面には導電部が設置されている。固定板６１２には収容孔６１２１が設けられており、当接シート６２２には貫通孔６２２１が設けられており、貫通孔６２２１は収容孔６１２１に正対する。突出柱６３２は貫通孔６２２１を貫いて収容孔６１２１に位置決めると、導電部は貫通孔６２２１の内縁に接触して、電子部品６３と当接シート６２２の電気的接続を実現する。
【００６２】
図４３及び図４４を参照すると、外側ケーシングは台座１２を覆うために用いられ、本実施形態における外側ケーシングは第一外側ケーシング１１を指し、外側ケーシングには貫通孔１１８が設けられており、外側ケーシングの内表面には第一取付部１１１が設置されており、バッフル６１４には第二取付部６１４２が設けられている。第一取付部１１１と第二取付部６１４２が協働して、ブラケット６１は接続シート６２及び電子部品６３とともに外側ケーシング（即ち第一外側ケーシング１１）の内表面に装着され、貫通孔１１８は電子部品６３と対向している。一実施形態では、外側ケーシング内表面の第一取付部２２２は固定柱であり、バッフル６１４の第二取付部２２３は固定穴であり、固定柱と固定穴が協働して、ブラケット６１と外側ケーシングの位置決めを実現する。他の実施形態において、ブラケット６１は、両面接着方式によって外側ケーシングに固定されてもよく、又はバックルを係合スロットに係合する方式によって固定してもよい。
【００６３】
台座１２の凹部１２０４は、台座１２の側面方向に開口を設ける。台座１２を外側ケーシングに装着する過程において、固定板６１２は開口から凹部１２０４に挿入される。
【００６４】
一実施形態では、電子部品６３はスイッチモジュールであり、固定板６１２の頂面には係合スロット６２１２が設けられており、電子部品６３は係合スロット６２１２に収容される。サポートアセンブリ１００はボタン６４をさらに備える。外側ケーシングには貫通孔１１８が設けられている。電子部品６３における当接シート６２２側の反対側には突起６３４が設置されており、突起６３４とボタン６４が協働して、ボタン６４の一部は外側ケーシングの貫通孔１１８から伸び出す。ボタン６４をプッシュして電子部品６３の突起５３４をスライドさせてオン/オフが行われる。
【００６５】
係合スロット６２１２の底壁には挿入スロット６２１４が設けられている。挿入スロット６２１４は固定板６１２の頂面と固定板６１２の底面に連通している。挿入スロット６２１４は、接続シート６２を通過させるために用いられる。
【００６６】
係合スロット６２１２の側壁には位置制限スロット６２１５が設けられている。電子部品６３の側辺には位置制限ストリップ６３５が設置されている。位置制限スロット６２１５と位置制限ストリップ６３５が協働して、電子部品６３を係合スロット６２１２内に規制する。
【００６７】
組立過程において、先ず第一取付部１１１と第二取付部６１４２の協働によって、ブラケット６１を接続シート６２及び電子部品６３とともに外側ケーシング（即ち第一外側ケーシング１１）の内表面に取り付ける。このとき、貫通孔１１８は電子部品６３と対向している。これにより、電子部品６３の予備組立を実現する。それから、エジェクタピンが台座１２の導電シート１２０６に当接するまで、導電シート１２０６が固定された台座１２と外側ケーシング（即ち第一外側ケーシング１１）を近付かせる。導電シート１２０６によってエジェクタピンと台座１２内の回路基板を電気的に接続して、電子部品に対する電力供給を実現する。このように、エジェクタピンと導電シート１２０６が当接する方式を採用すると、ワイヤを採用すると、組立過程でワイヤが破損し易いという問題を免れることができ、組立過程が簡単であり且つ便利である。
【００６８】
一実施形態では、エジェクタピンは、接続シート６２の支持シート６２４における台座１２に対向する側に固定される。他の実施形態において、エジェクタピンを台座１２の導電シート１２０６に固定的に接続してもよい。
【００６９】
別の実施形態において、電子部品は充電コネクタ７０であり、電子部品には充電インターフェースが設けられており、サポートアセンブリ１００は台座１２を覆うための外側ケーシングをさらに備える。図５に示されたように、外側ケーシングには貫通孔１１７が設けられており、貫通孔１１７は充電インターフェースに正対し、充電器が貫通孔１１７を通過して充電インターフェースと協働するようにする。
【００７０】
図４４に示されたように、台座１２の一端にはスイッチモジュールが設置されており、他端には充電モジュールが設置されている。図５及び図７に示されたように、第一外側ケーシング１１の前端面にはスイッチモジュールボタン６４を収容するための貫通孔１１８が設けられており、第一外側ケーシング１１の後端面には充電インターフェースを収容するための貫通孔１１７が設けられている。
【００７１】
図４５及び図４６を参照すると、第一本体１０は第一パッド１９をさらに備え、第一押圧板１６と第一パッド１９は台座１２の頂面に積層される。フレキシブルスクリーン５０を保護するために、第一パッド１９は第一押圧板１６のフレキシブルスクリーン５０に対面する表面に貼り合せる。フレキシブルスクリーン５０に対する損傷を避けるために、第一パッド１９は、スポンジのような柔らかい材料を採用することができる。
【００７２】
第二本体２０は、第二押圧板１８を備える。第二押圧板１８は、取付部に取り付けられ、且つリールアセンブリ２００の第二本体２０から離れている頂面の一側に位置する。フレキシブルスクリーン５０は、第二押圧板１８とリールアセンブリ２００との間の隙間を通過する。
【００７３】
図４６を参照すると、フレキシブルスクリーン５０と回路基板はＦＰＣ９０によって電気的に接続される。ＦＰＣ９０における台座１２の第二本体２０から離れている表面に位置する部分は折り畳まれた状態で設置される。一実施形態では、ＦＰＣ９０は台座１２の第二本体２０から離れている表面でＵ字形に折り畳まれる。ＦＰＣ９０は台座１２の側面を上から下に迂回することによって回路基板８０に固定的に接続されている。フレキシブルスクリーン５０はＦＰＣ９０に固定されているので、フレキシブルスクリーン５０と台座１２は固定関係がなく、従ってＦＰＣ９０を迂回するとＦＰＣ９０と台座１２との間の摩擦力を増加することができ、フレキシブルスクリーン５０の伸展過程でＦＰＣを引っ張ることが防止され、それによって電気接続線の安全性及び安定性が確保される。
【００７４】
第一本体１０は、台座１２の回路キャビティ１２７内に設置されて、回路キャビティ１２７内の回路基板８０とギャップＧを隔離する遮蔽板８０１をさらに備える。一実施形態では、遮蔽板８０１は熱伝導材料であり、回路基板８０を遮蔽するとともに、回路基板８０に放熱を提供することができる。
【００７５】
最後に、上述した実施形態は、ただ本願の技術的方案を説明するために用いられ、本願の範囲を限定するものではないと指摘すべきである。上述した実施形態を参照して本願を詳細に説明したが、当業者であれば、本願の保護範囲はこれに限定されなく、本願に開示された技術範囲内で当業者が容易に考えることができる変更又は切替は、全て本願の保護範囲に属するものであると理解されるべきである。だから、本願の保護範囲は特許請求の範囲に基づくべきである。
【図１】
2020514789.tif 000003
【図２】
2020514789.tif 000004
【図３】
2020514789.tif 000005
【図４】
2020514789.tif 000006
【図５】
2020514789.tif 000007
【図６】
2020514789.tif 000008
【図７】
2020514789.tif 000009
【図８】
2020514789.tif 000010
【図９】
2020514789.tif 000011
【図１０】
2020514789.tif 000012
【図１１】
2020514789.tif 000013
【図１２】
2020514789.tif 000014
【図１３】
2020514789.tif 000015
【図１４】
2020514789.tif 000016
【図１５】
2020514789.tif 000017
【図１６】
2020514789.tif 000018
【図１７】
2020514789.tif 000019
【図１８】
2020514789.tif 000020
【図１９】
2020514789.tif 000021
【図２０】
2020514789.tif 000022
【図２１】
2020514789.tif 000023
【図２２】
2020514789.tif 000024
【図２３】
2020514789.tif 000025
【図２４】
2020514789.tif 000026
【図２５】
2020514789.tif 000027
【図２６】
2020514789.tif 000028
【図２７】
2020514789.tif 000029
【図２８】
2020514789.tif 000030
【図２９】
2020514789.tif 000031
【図３０】
2020514789.tif 000032
【図３１】
2020514789.tif 000033
【図３２】
2020514789.tif 000034
【図３３】
2020514789.tif 000035
【図３４】
2020514789.tif 000036
【図３５】
2020514789.tif 000037
【図３６】
2020514789.tif 000038
【図３７】
2020514789.tif 000039
【図３８】
2020514789.tif 000040
【図３９】
2020514789.tif 000041
【図４０】
2020514789.tif 000042
【図４１】
2020514789.tif 000043
【図４２】
2020514789.tif 000044
【図４３】
2020514789.tif 000045
【図４４】
2020514789.tif 000046
【図４５】
2020514789.tif 000047
【図４６】
2020514789.tif 000048
【手続補正書】
【提出日】令和1年6月24日(2019.6.24)
【手続補正１】
【補正対象書類名】明細書
【補正対象項目名】００２２
【補正方法】変更
【補正の内容】
【００２２】
基板１４の第二側面１４３と台座１２の第一側面１２３は同一平面上にある。第一側面１２３及び第二側面１４３は両方とも平面である。突出柱と位置決め孔との協働により基板１４と台座１２を位置決めした後、さらにねじによって固定接続する。
【手続補正２】
【補正対象書類名】明細書
【補正対象項目名】００３２
【補正方法】変更
【補正の内容】
【００３２】
図２３を参照すると、第一連結ロッド３０１及び第二連結ロッド３０２が収縮状態にあるとき、第一ガイドロッド１２６と第二連結ロッド３０２は重なり、第二ガイドロッド２２６と第一連結ロッド３０１は重なり、第一連結ロッド３０１上のスライダ３４１は第二ガイドロッド２２６の一端に位置し、第二連結ロッド３０２上のスライダ３２１は第一ガイドロッド１２６の一端に位置する。図１５及び図１６を参照すると、第一連結ロッド３０１及び第二連結ロッド３０２が展開状態にあるとき、第一ガイドロッド１２６は第二連結ロッド３０２の外側に位置し、第一連結ロッド３０１上のスライダ３４１は第二ガイドロッド２２６の他端に位置に位置し、第二ガイドロッド２２６は第一連結ロッド３０１の外側に位置し、第二連結ロッド３０２上のスライダ３２１は第一ガイドロッド１２６の他端に位置する。
【手続補正３】
【補正対象書類名】明細書
【補正対象項目名】００４６
【補正方法】変更
【補正の内容】
【００４６】
図３３及び図３７を参照すると、第二エンドカバー２０３にはその軸方向に沿って延在される貫通孔２０３１が設けられており、シャフト２０５は貫通孔２０３１を貫く。第二エンドカバー２０３は、外径が順次小さくなる基底部２０３２と、スリーブリング２０３３と、スリーブチューブ２０３４と、を備える。スリーブリング２０３３はリール２０１の内表面に当接して、回転軸構造を形成する。基底部２０３２におけるスリーブリング２０３３に対面する階段面はリール２０１の端面に対向し、基底部２０３２の外径とリール２０１の外径は同じであり、即ち基底部２０３２の外表面とリール２０１の外表面は同一平面上にある。第一エンドカバー２０２と第二エンドカバー２０３がリール２０１の両端に取り付けられた後、三者の外表面は統合された円筒形構造を形成する。スリーブリング２０３３のスリーブチューブ２０３４に対面する階段面はスリーブチューブ２０３４にスリーブされたスプリング２０４の一端に当接するために用いられる。貫通孔２０３１の内側面は位置制限表面２０３５を備え、位置制限表面２０３５とシャフト２０５が協働して、第二エンドカバー２０３をシャフト２０５に円周方向で固定する。
【手続補正４】
【補正対象書類名】明細書
【補正対象項目名】００５５
【補正方法】変更
【補正の内容】
【００５５】
スプリング２０４の締め具合を調整することを必要とする場合、手動でバックル２０７を係止溝２２３２から取り出すことができ、次にシャフト２０５のヘッド端部２０５２をドライバーで回転させてシャフト２０５を回転させる。第二エンドカバー２０３の位置制限表面２０３５とシャフト２０５の第二停止面Ｐ２との間の合わせ面が当接するので、シャフト２０５は第二エンドカバー２０３が回転するように駆動し、さらに第二エンドカバー２０３に固定されたスプリング２０４の他端が回転するように駆動する。このとき、第一エンドカバー２０２はフレキシブルスクリーン５０に引っ張れて静止したままであり、スプリング２０４の第一エンドカバー２０２に固定された一端も静止したままである。スプリング２０４の一端は移動するが他端は移動しないので、スプリング２０４の締め具合が変化する。調整が完了した後、再びバックル２０７を係止溝２２３２に挿入してシャフト２０５を改めて位置決めする。注意しなければならないことは、スプリング２０４の締め具合は半回転の整数倍方式のみで調整可能であり、そうでなければ、調整後にシャフト２０５の第一停止面Ｐ１及び第二停止面Ｐ２が垂直位置に位置しなければ、バックル２０７の位置決め溝はシャフト２０５の第一停止面Ｐ１及び第二停止面Ｐ２にスムーズに当接することはできない。
【手続補正５】
【補正対象書類名】明細書
【補正対象項目名】００５８
【補正方法】変更
【補正の内容】
【００５８】
具体的には、図４０を参照すると、台座１２は、隣接する頂面１２０１、側面１２０２及び端面１２０３を備え、頂面１２０１はディスプレイスクリーンを支持するために用いられる（一実施形態では、ディスプレイスクリーンはフレキシブルスクリーンである）。端面１２０３には凹部１２０４が設けられており、側面１２０２には凹部１２０４に隣接し且つ互いに連通する貫通溝１２０５が設けられており、貫通溝１２０５は台座１２内部の収容空間に連通されている。サポートアセンブリ１００内部の回路基板に電気的に接続された導電シート１２０６が貫通溝１２０５内に設置されている。回路基板は、台座１２内の収容空間に設置されている。側面１２０２と台座１２の第一側面１２３は対向する表面であり、本実施形態における側面１２０２は、台座１２の第二本体２０から離れた表面を指す。
【手続補正６】
【補正対象書類名】明細書
【補正対象項目名】００６０
【補正方法】変更
【補正の内容】
【００６０】
接続シート６２は、当接シート６２２と、当接シート６２２の辺縁から湾曲延在される支持シート６２４と、を備える。接続シート６２は固定板６１２を貫き、当接シート６２２は固定板６１２の頂面に固定され、支持シート６２４は固定板６１２の底面の一側に位置し、支持シート６２４は貫通溝１２０５内に設置され且つエジェクタピン６２３によって導電シート１２０６に電気的に接続される。本実施形態において、エジェクタピン６２３は支持シート６２４に固定されている。支持シート６２４は、バッフル６１４の貫通溝１２０５に向かう側に位置する。
【手続補正７】
【補正対象書類名】明細書
【補正対象項目名】００６２
【補正方法】変更
【補正の内容】
【００６２】
図４３及び図４４を参照すると、外側ケーシングは台座１２を覆うために用いられ、本実施形態における外側ケーシングは第一外側ケーシング１１を指し、外側ケーシングには貫通孔１１８が設けられており、外側ケーシングの内表面には第一取付部１１１が設置されており、バッフル６１４には第二取付部６１４２が設けられている。第一取付部１１１と第二取付部６１４２が協働して、ブラケット６１は接続シート６２及び電子部品６３とともに外側ケーシング（即ち第一外側ケーシング１１）の内表面に装着され、貫通孔１１８は電子部品６３と対向している。一実施形態では、外側ケーシング内表面の第一取付部１１１は固定柱であり、バッフル６１４の第二取付部６１４２は固定穴であり、固定柱と固定穴が協働して、ブラケット６１と外側ケーシングの位置決めを実現する。他の実施形態において、ブラケット６１は、両面接着方式によって外側ケーシングに固定されてもよく、又はバックルを係合スロットに係合する方式によって固定してもよい。
【手続補正８】
【補正対象書類名】明細書
【補正対象項目名】００６４
【補正方法】変更
【補正の内容】
【００６４】
一実施形態では、電子部品６３はスイッチモジュールであり、固定板６１２の頂面には係合スロット６２１２が設けられており、電子部品６３は係合スロット６２１２に収容される。サポートアセンブリ１００はボタン６４をさらに備える。外側ケーシングには貫通孔１１８が設けられている。電子部品６３における当接シート６２２と側の反対側には突起６３４が設置されており、突起６３４とボタン６４が協働して、ボタン６４の一部は外側ケーシングの貫通孔１１８から伸び出す。ボタン６４をプッシュして電子部品６３の突起６３４をスライドさせてオン/オフが行われる。
【手続補正９】
【補正対象書類名】特許請求の範囲
【補正対象項目名】請求項１８
【補正方法】変更
【補正の内容】
【請求項１８】
前記フレキシブルスクリーンと前記回路基板はＦＰＣによって電気的に接続され、前記ＦＰＣにおける前記台座の前記第一側面から離れている表面に位置する部分は折り畳まれた状態で設置されることを特徴とする請求項１４に記載のサポートアセンブリ。
【国際調査報告】
2020514789.tif 000049
2020514789.tif 000050
2020514789.tif 000051
2020514789.tif 000052